(57)【特許請求の範囲】
【請求項１】
光通信網に接続される複数の光線路をトレイに収容するための収容構造であって、
前記複数の光線路は、光ケーブルと光ファイバであり、
前記光ケーブルと前記光ファイバは、光コネクタを介して相互に接続され、
前記トレイの一方の側面には、
前記光ケーブルを固定するためのケーブル固定部と、
前記光ケーブルを収容するための光ケーブル収容部と、
前記光ファイバを収容するための光ファイバ収容部とを設け、
前記光ケーブル収容部には、前記光コネクタを収容するための光コネクタ収容部と、前記光ケーブルの余長部分を円弧状に収容するための光ケーブル余長処理部とを設け、
前記光ファイバ収容部には、前記光ファイバの余長部分を円弧状に収容するための光ファイバ余長処理部とを設け、
前記光ケーブル余長処理部と、前記光ファイバ余長処理部とを、前記光コネクタ収容部を挟んで対向する位置に配置し、
前記トレイの一つの側面の両端部の隅部のうち、一方の隅部に前記ケーブル固定部を配置すると共に、他方の隅部に前記光ファイバ余長処理部を配置した、
光線路の収容構造。
【請求項２】
前記トレイは、ベース部と、当該ベース部から立ち上げられた段部とを備え、
前記段部の側面に前記光ケーブル収容部を配置することにより、前記光ケーブル収容部と前記光ファイバ収容部との前記トレイに直交する方向における高さを、相互に異なる高さとした、
請求項１に記載の光線路の収容構造。
【請求項３】
前記トレイは、前記段部から立ち下げされた凹部とを備え、
前記凹部に前記光コネクタ収容部を配置することにより、前記光コネクタ収容部と前記光ケーブル収容部との前記トレイに直交する方向における高さを、相互に異なる高さとし、
前記光ファイバ収容部を、前記光ケーブル収容部の周囲において、前記段部から立ち下げられた位置に配置し、
前記光コネクタ収容部の底面の前記トレイに直交する方向における高さを、前記ベース部の底面の前記トレイに直交する方向における高さと略同一とした、
請求項２に記載の光線路の収容構造。
【発明の詳細な説明】
【技術分野】
【０００１】
本発明は、光通信網に接続される複数の光線路をトレイに収容するための収容構造に関する。
【背景技術】
【０００２】
現在、光ケーブルを使った家庭向けのデータ通信サービスであるＦＴＴＨ（Ｆｉｂｅｒ  Ｔｏ  Ｔｈｅ  Ｈｏｍｅ）が一般家庭に普及しつつある。このＦＴＴＨにおいては、屋外に敷設された光ケーブルを介して送信された映像信号や通信信号が、一般家屋等の屋内または屋外の壁面に設置された光受信機を介して、ＴＶ受像機や情報通信機器に伝送される。
【０００３】
図１２は、カバー部を開いた状態における従来の光受信機の斜視図である。この光受信機１００は、筐体１０１に、光電変換ユニット１０２と、図示しない光ファイバを収容するためのトレイ１０３とを納めて構成されている。トレイ１０３には、ケーブル固定部１０４と余長処理部１０５が設けられている。このように構成された光受信機１００において、外部から引き込まれた図示しない光ケーブルの外被がケーブル固定部１０４で固定され、光ファイバのみが引き出される。このように引き出された光ファイバは、図示しないメカニカルスプライサを介して他の光ファイバに接続され、図示しない光コネクタを介して光電変換ユニット１０２に接続される。これら光ファイバの余長部分は、余長処理部１０５に巻き付けられることにより収容される（例えば、特許文献１及び特許文献２参照）。
【先行技術文献】
【特許文献】
【０００４】
【特許文献１】特開２００４−３５４８８４号公報
【特許文献２】特開２００４−３５４８８５号公報
【発明の概要】
【発明が解決しようとする課題】
【０００５】
ここで、光ケーブルや光ファイバ同士を接続するための機構としては、メカニカルスプライサ以外にも各種の光コネクタが提供されており、光コネクタを使用することでメカニカルスプライサ使用時よりも一層簡易に接続作業を行うことができる場合がある。従って、光受信機の内部においても、光ケーブルや光ファイバ同士の接続を、メカニカルスプライサに代えて光コネクタを用いて行うことが考えられる。特に、光コネクタとしては、光ケーブルの外被を直接把持して接続を行うことができる外被把持型光コネクタも提案されており、この外被把持型光コネクタを使用することで、光ケーブルの外被を剥き取る作業を省略することができる。
【０００６】
このように外被把持型光コネクタを用いた場合には、図１２に示した従来の収容構造のように、外部から引き込まれた光ケーブルの外被をケーブル固定部で固定して光ファイバのみを引き出すのではなく、外部から引き込まれた光ケーブルをそのまま受信機の内部に導入し、この光ケーブルを外被把持型光コネクタを介して他の光ファイバに接続することが考えられる。
【０００７】
しかしながら、従来の収容構造は、光ファイバのみを収容することを想定して構成されており、光ケーブルと光ファイバの両方を収容することが想定されていなかった。例えば、図１２に示した従来の収容構造では、余長処理部１０５が一つしか設けられていないため、光ケーブルと光ファイバの両方を収容する場合には、これら種類が異なる光線路の余長部分を同じ余長処理部１０５に巻き付けることになり、種類が異なる光線路が混在することによって巻き取り作業が煩雑になり、作業性を向上させる上での障害となっていた。
【０００８】
本発明は、上記に鑑みてなされたものであって、光ケーブルと光ファイバの両方を収容する場合にも対応することができる、光線路の収容構造を提供することを目的とする。
【課題を解決するための手段】
【０００９】
上述した課題を解決し、目的を達成するために、請求項１に記載の本発明は、光通信網に接続される複数の光線路をトレイに収容するための収容構造であって、前記複数の光線路は、光ケーブルと光ファイバであり、前記光ケーブルと前記光ファイバは、光コネクタを介して相互に接続され、前記トレイの一方の側面には、前記光ケーブルを固定するためのケーブル固定部と、前記光ケーブルを収容するための光ケーブル収容部と、前記光ファイバを収容するための光ファイバ収容部とを設け、前記光ケーブル収容部には、前記光コネクタを収容するための光コネクタ収容部と、前記光ケーブルの余長部分を円弧状に収容するための光ケーブル余長処理部とを設け、前記光ファイバ収容部には、前記光ファイバの余長部分を円弧状に収容するための光ファイバ余長処理部とを設け、前記光ケーブル余長処理部と、前記光ファイバ余長処理部とを、前記光コネクタ収容部を挟んで対向する位置に配置し、前記トレイの一つの側面の両端部の隅部のうち、一方の隅部に前記ケーブル固定部を配置すると共に、他方の隅部に前記光ファイバ余長処理部を配置した、光線路の収容構造である。
【００１０】
また、請求項２に記載の本発明は、請求項１に記載の本発明において、前記トレイは、ベース部と、当該ベース部から立ち上げられた段部とを備え、前記段部の側面に前記光ケーブル収容部を配置することにより、前記光ケーブル収容部と前記光ファイバ収容部との前記トレイに直交する方向における高さを、相互に異なる高さとした、光線路の収容構造である。
【００１１】
また、請求項３に記載の本発明は、請求項２に記載の本発明において、前記トレイは、前記段部から立ち下げされた凹部とを備え、前記凹部に前記光コネクタ収容部を配置することにより、前記光コネクタ収容部と前記光ケーブル収容部との前記トレイに直交する方向における高さを、相互に異なる高さとし、前記光ファイバ収容部を、前記光ケーブル収容部の周囲において、前記段部から立ち下げられた位置に配置し、前記光コネクタ収容部の底面の前記トレイに直交する方向における高さを、前記ベース部の底面の前記トレイに直交する方向における高さと略同一とした。
【発明の効果】
【００１２】
請求項１に記載の本発明によれば、光ケーブル余長処理部と光ファイバ余長処理部とを設けたので、光ケーブルの余長部分と光ファイバの余長部分とを相互に異なる位置で余長処理することが可能となり、種類が異なる光線路が混在することによって巻き取り作業が煩雑になることを防止することができて、作業性を向上させることができる。特に、光ケーブル余長処理部と光ファイバ余長処理部とを光コネクタ収容部を挟んで対向する位置に配置したので、光ケーブルと光ファイバとを光コネクタ収容部を介して相互に接続する場合においては、光コネクタ収容部を境界として、光ケーブルの余長処理領域と光コネクタの余長処理領域とを相互に一層明確に分離することができ、種類が異なる光線路が混在することを一層容易に防止することができる。
【００１４】
また、請求項２に記載の本発明によれば、光ケーブル余長処理部と光ファイバ余長処理部とのトレイに直交する方向における高さを、相互に異なる高さとしたので、光ケーブルと光ファイバとを相互に異なる高さで収容することができ、光ケーブルと光ファイバとを相互に混在させることなくスムーズに収容することができる。
【図面の簡単な説明】
【００１５】
【図１】本発明の実施の形態に係る光受信機を示す図であり、（ａ）は正面図、（ｂ）は底面図、（ｃ）は側面図である。
【図２】カバー部を取り外した状態における光受信機の正面図であって、トレイを取り付けた状態の図である。
【図３】カバー部を取り外した状態における光受信機の正面図であって、トレイを取り外した状態の図である。
【図４】光コネクタ不使用型接続パターンを概念的に示す図である。
【図５】光コネクタ使用型接続パターンを概念的に示す図である。
【図６】光コネクタの装着前におけるトレイを示す図であり、（ａ）は正面図、（ｂ）は底面図、（ｃ）は側面図である。
【図７】光コネクタの装着後におけるトレイの斜視図である。
【図８】光ケーブル収容部を簡略化した上で斜線領域として示す図である。
【図９】光ファイバ収容部を簡略化した上で斜線領域として示す図である。
【図１０】光ケーブルコネクタ、アダプタ、アダプタ収容部、及び光ファイバコネクタの分解斜視図である。
【図１１】光ケーブル余長処理部周辺の拡大斜視図である。
【図１２】カバー部を開いた状態における従来の光受信機の斜視図である。
【発明を実施するための形態】
【００１６】
以下に添付図面を参照して、この発明に係る光線路の収容構造の実施の形態を詳細に説明する。まず、〔I〕実施の形態の基本的概念を説明した後、〔II〕実施の形態の具体的内容について説明し、〔III〕最後に、実施の形態に対する変形例について説明する。ただし、実施の形態によって本発明が限定されるものではない。
【００１７】
〔I〕実施の形態の基本的概念
まず、実施の形態の基本的概念について説明する。この実施の形態は、光通信網に接続される複数の光線路をトレイに収容するための収容構造に関する。
【００１８】
この収容構造は、例えば、光受信機の内部に設けられる。光受信機とは、光回線終端装置（ＯＮＵ：Ｏｐｔｉｃａｌ  Ｎｅｔｗｏｒｋ  Ｕｎｉｔ）であるが、以下では、光線路を介して伝送された光信号を電気信号に変換する光電変換機能に加え、光線路の余長処理機能を有する場合について説明する。ただし、この収容構造を設ける対象は、光受信機に限られず、光線路収納箱、光コンバータ、あるいは、その他に光線路を収容可能な機器であれば、どの様な機器に対しても同様に適用可能である。
【００１９】
光線路とは、光信号を伝送可能な線路である限りにおいて、その具体的構造や名称は任意であるが、以下では、光ケーブルと光ファイバである場合について説明する。光ケーブルとしては、光ファイバの両側にテンションメンバを配置し、これら光ファイバとテンションメンバとを外被（被覆層）にて覆って構成された、一芯型インドアケーブルを使用する場合について説明する。
【００２０】
この収容構造の特徴の一つは、光通信網に接続される複数の光線路をトレイに収容するための収容構造であって、前記複数の光線路は、光ケーブルと光ファイバであり、前記光ケーブルと前記光ファイバは、光コネクタを介して相互に接続され、前記トレイの一方の側面には、前記光ケーブルの余長部分を円弧状に収容するための光ケーブル余長処理部と、前記光ファイバの余長部分を円弧状に収容するための光ファイバ余長処理部と、前記光コネクタを収容するための光コネクタ収容部とを設け、前記光ケーブル余長処理部と、前記光ファイバ余長処理部とを、前記光コネクタ収容部を挟んで対向する位置に配置した点にある。このため、光ケーブルの余長部分と光ファイバの余長部分とを相互に異なる位置で余長処理することが可能となり、種類が異なる光線路が混在することによって巻き取り作業が煩雑になることを防止することができて、作業性を向上させることができる。なお、「対向する」とは、光ケーブル余長処理部と光ファイバ余長処理部とが光コネクタ収容部を介して相互に異なる位置に配置されていることを意味する。
【００２１】
ここで、光コネクタの種類や具体的構造は任意であり、プッシュプル型のＳＣコネクタやネジ締め型のＦＣコネクタを採用でき、また、光ケーブルを直接取り付け可能なコネクタと光ファイバを取り付け可能なコネクタのいずれを採用してもよい。以下では、光ケーブルを直接取り付け可能な光コネクタ（外被把持型光コネクタ。以下、光ケーブルコネクタ）と、光ファイバを取り付け可能な光コネクタ（以下、光ファイバコネクタ）を採用する場合について説明する。なお、これら光ケーブルコネクタと光ファイバコネクタとを相互に区別する必要がない場合には、単に「光コネクタ」と総称する。
【００２２】
〔II〕実施の形態の具体的内容
以下に添付図面を参照して、本実施の形態の具体的内容について詳細に説明する。
【００２３】
（光受信機の基本構成）
最初に、光受信機１の基本構成を説明する。図１は、本実施の形態に係る光受信機１を示す図であり、（ａ）は正面図、（ｂ）は底面図、（ｃ）は側面図、図２は、カバー部を取り外した状態における光受信機１の正面図であって、トレイを取り付けた状態の図、図３は、カバー部を取り外した状態における光受信機１の正面図であって、トレイを取り外した状態の図である。なお、以下の説明においては、図１のＸ方向を左右方向（又は幅方向）、図１のＹ方向を上下方向、図１のＺ方向を前後方向（又は高さ方向）とする。
【００２４】
（接続パターン）
この光受信機１は、各種の信号の中継等を行なう通信機器である。まず、この光受信機１の信号中継機能を説明するため、光受信機１における光ケーブル又は光ファイバの接続パターンについて説明する。この接続パターンとしては、ニーズに応じた複数の接続パターンを取り得る。以下、代表的な２つの接続パターンを説明する。本実施の形態のトレイ（後述する）によれば、少なくとも、この代表的な２つの接続パターンのいずれが採用された場合においても、光ケーブルや光ファイバ等を収容することが可能である。
【００２５】
最初に、代表的な２つの接続パターンの中で、光コネクタ不使用型接続パターンを説明する。図４は、光コネクタ不使用型接続パターンを概念的に示す図である。この光コネクタ不使用型接続パターンは、概略的には、ケーブル固定部６１を使用して光ケーブルから引き出した光ファイバを光受信機１の内部に引き込む接続パターンであると共に、光ファイバ同士の接続にメカニカルスプライサを使用する一方で光コネクタを使用しない接続パターンであって、図１２に示した従来のトレイによっても、光ケーブルや光ファイバ等を収容することが可能な接続パターンである。
【００２６】
具体的には、この接続パターンでは、多重化された映像信号及び通信信号を伝送するための光ケーブルＯＣ１が光受信機１に引き込まれ、この光ケーブルＯＣ１からケーブル固定部６１を介して光ファイバＯＦ１が引き出され、この光ファイバＯＦ１がメカニカルスプライスＭＳ１を介して他の光ファイバＯＦ２に接続される。この光ファイバＯＦ２はＷＤＭ（波長分割多重：Ｗａｖｅｌｅｎｇｔｈ  Ｄｉｖｉｓｉｏｎ  Ｍｕｌｔｉｐｌｅｘｉｎｇ）フィルタＦ１に接続される。このＷＤＭフィルタＦ１からは、映像信号を伝送するための光ファイバＯＦ３と、通信信号を伝送するための光ファイバＯＦ４とが引き出される。そして、光ケーブルＯＣ１及び光ファイバＯＦ１を介して入力された映像信号及び通信信号は、ＷＤＭフィルタＦ１で分離され、映像信号は光ファイバＯＦ３、通信信号は光ファイバＯＦ４からそれぞれ出力される。
【００２７】
このうち、映像信号用の光ファイバＯＦ３は、メカニカルスプライスＭＳ２を介して他の光ファイバＯＦ５に接続され、この光ファイバＯＦ５は、光ファイバコネクタＯＦＣ１を介して光電変換ユニット２０に接続される。この光電変換ユニット２０の２つの接続端子２１の各々には同軸ケーブルＣＣ１が接続され、一方の接続端子２１に接続された同軸ケーブルＣＣ１は宅内に引き込まれてＴＶ受像機等に接続され、他方の接続端子２１に接続された同軸ケーブルＣＣ１はモニタ出力用としてモニタ用機器に接続される。そして、ＷＤＭフィルタＦ１にて分離された映像信号は、光電変換ユニット２０において光電変換された後、同軸ケーブルＣＣ１を介してＴＶ受像機やモニタ機器等に入力される。
【００２８】
一方、ＷＤＭフィルタＦ１を出た通信信号用の光ファイバＯＦ４は、メカニカルスプライスＭＳ３を介して他の光ファイバＯＦ６に接続される。この光ファイバＯＦ６は、光受信機１に引き込まれた光ケーブルＯＣ２からケーブル固定部６１を介して引き出されたものであり、この光ケーブルＯＣ２が宅内に引き込まれて情報機器等に接続される。そして、ＷＤＭフィルタＦ１にて分離された通信信号は、光ケーブルＯＣ２を介して情報機器に入力される。
【００２９】
次に、代表的な２つの接続パターンの中で、光コネクタ使用型接続パターンを説明する。図５は、光コネクタ使用型接続パターンを概念的に示す図である。この光コネクタ使用型接続パターンは、ケーブル固定部６１を使用することなく光ケーブルをそのまま光受信機１の内部に引き込むパターンであると共に、光ケーブルや光ファイバ同士の接続にメカニカルスプライサを使用しない一方で光コネクタをするパターンであって、図１２に示した従来のトレイでは収容することができなかった接続パターンである。
【００３０】
具体的には、この接続パターンでは、多重化された映像信号及び通信信号を伝送するための光ケーブルＯＣ１が光受信機１に引き込まれ、光ケーブル狭持固定部５０ｆで固定された後、光ケーブルコネクタＯＣＣ１に接続される。この光ケーブルコネクタＯＣＣ１は、アダプタＡＰ１を介して、光ファイバコネクタＯＦＣ１に接続される。この光ファイバコネクタＯＦＣ１には、光ファイバＯＦ２が接続されており、この光ファイバＯＦ２がＷＤＭフィルタＦ１に接続されている。このＷＤＭフィルタＦ１からは、映像信号を伝送するための光ファイバＯＦ３と、通信信号を伝送するための光ファイバＯＦ４が引き出される。そして、光ケーブルＯＣ１を介して入力された映像信号及び通信信号は、ＷＤＭフィルタＦ１で分離され、映像信号は光ファイバＯＦ３、通信信号は光ファイバＯＦ４からそれぞれ出力される。
【００３１】
このうち、映像信号用の光ファイバＯＦ３は、光ファイバコネクタＯＦＣ３を介して光電変換ユニット２０に接続される。この光電変換ユニット２０の２つの接続端子２１の各々には同軸ケーブルＣＣ１が接続され、一方の接続端子２１に接続された同軸ケーブルＣＣ１は宅内に引き込まれてＴＶ受像機等に接続され、他方の接続端子２１に接続された同軸ケーブルＣＣ１はモニタ出力用としてモニタ用機器に接続される。そして、ＷＤＭフィルタＦ１にて分離された映像信号は、光電変換ユニット２０において光電変換された後、同軸ケーブルＣＣ１を介してＴＶ受像機やモニタ機器等に入力される。
【００３２】
一方、ＷＤＭフィルタＦ１を出た通信信号用の光ファイバＯＦ４は、光ファイバコネクタＯＦＣ２に接続される。この光ファイバコネクタＯＦＣ２は、アダプタＡＰ２を介して、光ケーブルコネクタＯＣＣ２に接続される。この光ケーブルコネクタＯＣＣ２には、光ケーブルＯＣ２が接続されており、この光ケーブルＯＣ２が光ケーブル狭持固定部５０ｅで固定された後、宅内に引き込まれて情報機器等に接続される。そして、ＷＤＭフィルタＦ１にて分離された通信信号は、光ケーブルＯＣ２を介して情報機器に入力される。
【００３３】
これら図４、５に示した接続パターン以外にも、様々な接続パターンを採用することができる。例えば、ＷＤＭフィルタＦ１からの光ファイバＯＦ２〜ＯＦ５の引き出し形態は、当該ＷＤＭフィルタＦ１の種類や型式に応じて異なり得るため、これに応じて、図４、５に例示した接続パターンも異なり得る。なお、以下に説明する内容及び図６〜図１１では、特記する場合を除いて、図５の光コネクタ使用型接続パターンを採用した場合における光コネクタ等の収容例を示すものとするが、図６、８、９では、光コネクタ等は省略し、他の図面においても光ケーブルや光ファイバの一部を省略して示す。
【００３４】
（光受信機の具体的な構成）
次に、このような信号伝送を達成するための光受信機１の具体的な構成について説明する。光受信機１は、図１〜図３に示すように、筐体１０の内部に、光電変換ユニット２０、電源装置３０、及びトレイ４０を着脱自在に収めて構成されている。
【００３５】
このうち、筐体１０は、光受信機１の構造体であり、トレイ４０及び光電変換ユニット２０を外部から保護する保護手段である。この筐体１０は、一側面を開放した略箱形状のベース部１１と、このベース部１１をその開放面側から略覆うカバー部１２とを備えて構成されており、カバー部１２はベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ケーブルを筐体１０の内部に引き込むことができ、あるいは、筐体１０の内部から外部に光ケーブルを引き出すことができる。また、引き込み口１３の側方には、光電変換ユニット２０の上述した接続端子２１が筐体１０の外部に露出され、この接続端子２１に同軸ケーブルを接続することができる。なお、この筐体１０は、特記する構成を除き、特許文献１と同様に構成することができる。
【００３６】
また、光電変換ユニット２０は、光信号を電気信号に変換する光電変換手段である。この光電変換ユニット２０は、略直方体状に形成されており、その上部に設けた図示しない接続端子に光ファイバコネクタを介して光ファイバを接続でき、その内部に設けた図示しない光電変換回路によって光信号を電気信号に変換でき、その下部に設けた一対の接続端子２１を介して、同軸ケーブルＣＣ１に電気信号を出力可能である。なお、この光電変換ユニット２０は、特記する構成を除き、特許文献１と同様に構成することができる。
【００３７】
また、電源装置３０は、光受信機１に対する電力供給を行うもので、筐体１０の内部における光電変換ユニット２０の上方に形成された空間部に着脱自在に収容されており、電源コード３１を介して商用電源から取得したＡＣ電力を、ＤＣ電力に変換して、光電変換ユニット２０に供給する。
【００３８】
また、トレイ４０は、光ケーブルや光ファイバを整理及び収容するための収容手段であり、筐体１０の内部に着脱可能に収容されている。図６は、光コネクタの装着前におけるトレイ４０を示す図であり、（ａ）は正面図、（ｂ）は底面図、（ｃ）は側面図、図７は、光コネクタの装着後におけるトレイ４０の斜視図である。このトレイ４０は、樹脂を射出成型等することで全体として方形平板状に形成されたものであり、その一方の側面に、光ケーブルを主として収容するための光ケーブル収容部５０と、光ファイバを主として収容するための光ファイバ収容部６０とを設けて構成されている。光ケーブル収容部５０には、光コネクタを固定するための光コネクタ収容部５１と、光ケーブルの余長部分を処理するための光ケーブル余長処理部５２が設けられている。また、光ファイバ収容部６０には、光ケーブルを固定するためのケーブル固定部６１、メカニカルスプライスを固定するためのスプライス固定部６２、ＷＤＭフィルタＦ１を固定するためのフィルタ固定部６３、及び、光ファイバの余長部分を処理するための光ファイバ余長処理部６４が設けられている。
【００３９】
そして、概略的には、ケーブル固定部６１には、外部から引き込まれた光ケーブルの外被を固定でき、この外被の間から引き出された光ファイバのみが光受信機１の内部に導入される。また、スプライス固定部６２には、図４の接続パターンで接続した場合においてメカニカルスプライスＭＳ１〜ＭＳ３（図４にのみ図示）を着脱自在に固定可能である。また、フィルタ固定部６３には、ＷＤＭフィルタＦ１を着脱自在に固定できる。また、光コネクタ収容部５１には、図５の接続パターンで接続した場合において光ケーブルコネクタＯＣＣ１、ＯＣＣ２、アダプタＡＰ１、ＡＰ２、及び光ファイバコネクタＯＦＣ１、ＯＦＣ２を固定できる。そして、光ケーブル余長処理部５２には、図５の接続パターンで接続した場合において光ケーブルの余長部分が収容され、光ファイバ余長処理部６４には、図４、５の接続パターンで接続した場合において光ファイバの余長部分が収容される。
【００４０】
（光受信機の具体的な構成−トレイの詳細）
次に、トレイ４０の各部について一層詳細に説明する。ただし、このトレイ４０は、特記する構成を除き、特許文献１と同様に構成することができ、特に、ケーブル固定部６１、スプライス固定部６２、及びフィルタ固定部６３については、特許文献１と同様に構成することができるので、その詳細な説明を省略する。
【００４１】
最初に、光ケーブル収容部５０と光ファイバ収容部６０について説明する。上述のように、光ケーブル収容部５０は、光ケーブルを主として収容する空間部であり、光ファイバ収容部６０は、光ファイバを主として収容する空間部である。ここで、「主として」とは、その他以外のものを収容することを完全に排除するものではないことを意味し、光ケーブル収容部５０に光ファイバの一部が収容されたり、光ファイバ収容部６０に光ケーブルの一部が収容されることを含み得ることを意味する。また、「収容する」とは、光ケーブルや光ファイバを所定空間部に収めることを意味し、円弧状の収容に限定されない点で、光ケーブル余長処理部５２や光ファイバ余長処理部６４における収容とは異なる。
【００４２】
具体的には、トレイ４０は、ベース部４１、外壁部４２、及び、段部４３を備えて構成されている。そして、段部４３の前面に光ケーブル収容部５０が形成され、外壁部４２と段部４３との相互間（ベース部４１の前面）に光ファイバ収容部６０が形成されている。これら各領域の明確化のため、図８には光ケーブル収容部５０、図９には光ファイバ収容部６０をそれぞれ簡略化した上で斜線領域として示す。
【００４３】
ベース部４１は、トレイ４０の基板を形成する方形板状体である。外壁部４２は、筐体１０の平面形状に略沿った平面形状を有するが、図６（ａ）における右上部分は正面中央寄りに湾曲しており、このことによって、光ファイバを光電変換ユニット２０に接続するための開口部５０ｄが形成されている。この外壁部４２は、ベース部４１に対して略直交するように立ち上げられている。段部４３は、ベース部４１に対して特記する部分を除いて略直交するように立ち上げられている。この段部４３よりも後方側に光ファイバ収容部６０が形成され、この段部４３の前面に光ケーブル収容部５０が形成されているので、これら光ケーブル収容部５０と光ファイバ収容部６０とのトレイ４０に直交する方向における高さは、相互に異なる高さとされている。従って、光ケーブル収容部５０に光ケーブルを収容し、光ファイバ収容部６０に光ファイバを収容した状態において、これら光ケーブルと光ファイバが相互に異なる高さで収容されるので、これら光ケーブルと光ファイバが相互に混在することが防止される。
【００４４】
次に、光コネクタ収容部５１について説明する。この光コネクタ収容部５１は、光ケーブル収容部５０に２つ並設されている。各光コネクタ収容部５１は、光ケーブルコネクタ収容段部（光ケーブルコネクタ収容部）５１ａと、アダプタ収容部５１ｂと、光ファイバコネクタ収容段部（光ファイバコネクタ収容部）５１ｃとを備える。なお、図１０には、光ケーブルコネクタＯＣＣ１（又はＯＣＣ２）、アダプタＡＰ１（又はＡＰ２）、アダプタ収容部５１ｂ、及び光ファイバコネクタＯＦＣ１（又はＯＦＣ２）の分解斜視図を示す。
【００４５】
図６、７に示すように、光ケーブルコネクタ収容段部５１ａは、光ケーブルコネクタＯＣＣ１、ＯＣＣ２に略対応する平面形状の段部であって、段部４３の他の部分よりも後方側に凹んだ凹状部として形成されている。そして、この光ケーブルコネクタ収容段部５１ａに光ケーブルコネクタＯＣＣ１、ＯＣＣ２の全部又は後方側の一部を収容することができる。この光ケーブルコネクタ収容段部５１ａの高さは、ベース部４１に対する段部４３の高さとほぼ等しくなっており、このため、光ケーブルコネクタ収容段部５１ａの底面とベース部４１の底面は相互にほぼ等しい高さとなっており、このために、光ケーブルコネクタＯＣＣ１、ＯＣＣ２の前方側に突出する部分を最小限に抑えることができる。また、光ケーブルコネクタ収容段部５１ａの左右及び上方には、光ケーブルコネクタ収容段部５１ａに近接するに伴って後方側に向かう傾斜面５１ｄが形成されており、この傾斜面５１ｄの傾斜角度は、この傾斜面５１ｄに沿って光ケーブルを配置した状態において、光ケーブルの曲げ半径がその最少許容曲げ半径以上となるように決定されている。従って、光ケーブルを傾斜面５１ｄに沿って段部４３から光ケーブルコネクタ収容段部５１ａに至るように配置することで、光ケーブルが最少許容曲げ半径以上の半径で曲げられることを防止でき、光ケーブルを安全にとり回すことができる。
【００４６】
アダプタ収容部５１ｂは、光ケーブルコネクタＯＣＣ１、ＯＣＣ２と光ファイバコネクタＯＦＣ１、ＯＦＣ２を相互に接続するためのアダプタＡＰ１、ＡＰ２を収容するためのもので、段部４３における、光ケーブルコネクタ収容段部５１ａと光ファイバコネクタ収容段部５１ｃの相互間に形成されている。具体的には、アダプタ収容部５１ｂは、図１０に示すように、段部４３から前方へ突出するコ字状体として形成されており、このコ字状体の内部中空スペースがアダプタＡＰ１、ＡＰ２の外形に対応した形状とされていて、この内部中空スペースに上方側から下方側に向けてアダプタＡＰ１、ＡＰ２を挿通させることで、アダプタＡＰ１、ＡＰ２を収容することができる。このアダプタ収容部５１ｂの左右両側方には、切り欠き部５１ｅが形成されており、アダプタＡＰ１、ＡＰ２に装着された光ファイバコネクタＯＦＣ１、ＯＦＣ２の係止爪ＯＦＣ１ａ、ＯＦＣ２ａがこの切り欠き部５１ｅから露出し、この係止爪ＯＦＣ１ａ、ＯＦＣ２ａをユーザが前方側から操作できるので、アダプタＡＰ１、ＡＰ２をアダプタ収容部５１ｂに収容したままの状態で、アダプタＡＰ１、ＡＰ２から光ファイバコネクタＯＦＣ１、ＯＦＣ２を容易に取り外すことができる。
【００４７】
光ファイバコネクタ収容段部５１ｃは、図６、７に示すように、アダプタ収容部５１ｂを挟んで光ケーブルコネクタ収容段部５１ａと対応する位置に配置されている。この光ファイバコネクタ収容段部５１ｃは、光ファイバコネクタＯＦＣ１、ＯＦＣ２に略対応する平面形状の段部であって、段部４３の他の部分よりも後方側に凹んだ凹状部として形成されている。そして、この光ファイバコネクタ収容段部５１ｃに光ファイバコネクタの全部又は後方側の一部を収容することができる。この光ファイバコネクタ収容段部５１ｃの高さは、ベース部４１に対する段部４３の高さとほぼ等しくなっており、このため、光ファイバコネクタ収容段部５１ｃの底面とベース部４１の底面は相互にほぼ等しい高さとなっており、このために、光ファイバコネクタＯＦＣ１、ＯＦＣ２の前方側に突出する部分を最小限に抑えることができる。また、光ファイバコネクタ収容段部５１ｃの左右には、光ファイバコネクタ収容段部５１ｃに近接するに伴って後方側に向かう傾斜面５１ｇが形成されている。また、光ファイバコネクタ収容段部５１ｃの下方には、光ファイバ余長処理部６４と連通する開口５１ｈが設けられているため、光ファイバコネクタ収容段部５１ｃに収容された光ファイバコネクタＯＦＣ１、ＯＦＣ２に接続された光ファイバを、この開口５１ｈを介して光ファイバ余長処理部６４に直線的に引き出すことができる。このように、各光コネクタ収容部５１をトレイ４０の中央付近に設け、各コネクタの装着方向をトレイ４０の長手方向である上下方向に設定したことで、光ケーブルや光ファイバがトレイ４０の側面に当たらないように余裕を持たせて各コネクタの装着や脱着を行うことができる。また各光コネクタ収容部５１をトレイ４０の中央付近に設け、各光コネクタ収容部５１の周囲に光ケーブルや光ファイバを収容することにしたので、光ケーブルや光ファイバを最小許容曲げ半径に影響なく収容できる。
【００４８】
次に、光ケーブル余長処理部５２について説明する。図１１は、光ケーブル余長処理部５２周辺の拡大斜視図である。この光ケーブル余長処理部５２は、光ケーブルの余長部分を処理するためのものであり、余長処理ガイド５２ａ〜５２ｃを備えて構成されている。これら余長処理ガイド５２ａ〜５２ｃは、光ケーブル収容部５０における光コネクタ収容部５１以外の部分において、段部４３から前方側に突出する板状体として形成されており、光ケーブルコネクタ収容段部５１ａに収容された光ケーブルコネクタＯＣＣ１、ＯＣＣ２に接続された光ケーブルの取り回し経路に沿った位置で、かつ、光ケーブルの取り回し経路に沿って円弧状に形成されている。すなわち、光ケーブルコネクタ収容段部５１ａに収容された光ケーブルコネクタＯＣＣ１に接続された光ケーブルは、光ケーブルコネクタ収容段部５１ａから余長処理ガイド５２ａに沿って引き出され、さらに余長処理ガイド５２ｂに沿って取り回され、段部４３に形成された光ケーブル挟持固定部５０ｅを介して、ケーブル固定部６１に至り、光受信機１の外部に引き出される。一方、光ケーブルコネクタ収容段部５１ａに収容された光ケーブルコネクタＯＣＣ２に接続された光ケーブルは、光ケーブルコネクタ収容段部５１ａから引き出されて余長処理ガイド５２ｃに沿って取り回され、ベース部４１に形成された光ケーブル挟持固定部５０ｆを介して、ケーブル固定部６１に至り、光受信機１の外部に引き出される。これらの余長処理ガイド５２ａ〜５２ｃは、当該余長処理ガイド５２ａ〜５２ｃに沿って取り回された光ケーブルの曲げ半径がその最少許容曲げ半径以上となるように決定されている。従って、光ケーブルを余長処理ガイド５２ａ〜５２ｃに沿って取り回すことで、光ケーブルが最少許容曲げ半径以上の半径で曲げられることを防止できる。また、光ケーブルＯＣ２は余長処理ガイド５２ａの右側を通るようにしても良い。光ケーブル狭持固定部５０ｅ、５０ｆで光ケーブルを確実にトレイに固定することできるため、たとえば光受信機１の外から光ケーブルが引っ張られたときでも、光ケーブル狭持固定部５０ｅ、５０ｆのケーブルの固定及び余長処理ガイド５２ａ〜５２ｃの光ケーブルの最小許容曲げ半径以上の維持をすることができ、光ケーブルの損傷を確実に防ぎ、さらに光ケーブルコネクタＯＣＣ１、ＯＣＣ２とアダプタＡＰ１、ＡＰ２との接続状態に悪影響を及ぼすことがない。
【００４９】
次に、光ファイバ余長処理部６４について説明する。図６、７に示すように、この光ファイバ余長処理部６４は、余長処理ガイド６４ａと、光ファイバ押え６４ｂとを備える。余長処理ガイド６４ａは、段部４３から前方側に突出する板状体として、外壁部４２とほぼ同様の高さで形成されており、光ファイバをその外周に１回又は複数回だけ巻き付け可能な円弧状に形成されている。また、余長処理ガイド６４ａは、当該余長処理ガイド６４ａに巻き付けられた光ファイバの曲げ半径がその最少許容曲げ半径以上となるように決定されている。従って、光ファイバを余長処理ガイド６４ａに沿って巻き付けることで、光ファイバが最少許容曲げ半径以上の半径で曲げられることを防止できる。また、光ファイバ押え６４ｂは、余長処理ガイド６４ａに巻き付けられた光ファイバの飛び出しを防止するためのもので、外壁部４２の上面から余長処理ガイド６４ａに向けて、あるいは、余長処理ガイド６４ａの上面から外壁部４２に向けて、形成されている。ここで、これらファイバ押え６４ｂの先端部と、余長処理ガイド６４ａや外壁部４２との相互間には若干の隙間が形成されており、この隙間を介して、光ファイバを余長処理ガイド６４ａの外周に巻き付けることができる。
【００５０】
ここで、光ケーブル余長処理部５２と、光ファイバ余長処理部６４とは、光コネクタ収容部５１を挟んで対向する位置に配置されている。すなわち、図６（ａ）に示すように、トレイ４０を正面から見た場合において、光コネクタ収容部５１は、トレイ４０の上下左右のほぼ中央に配置されているのに対して、光ケーブル余長処理部５２は、トレイ４０の左上側に配置されており、光ファイバ余長処理部６４は、トレイ４０の右下側に配置されている。従って、光ケーブル余長処理部５２と、光ファイバ余長処理部６４とは、光コネクタ収容部５１を境界として、相互に離れた位置（少なくとも相互に重複しない位置）に配置されている。このため、光ケーブルの余長部分と光ファイバの余長部分とを相互に異なる位置で余長処理することが可能となり、種類が異なる光線路が混在することによって巻き取り作業が煩雑になることを防止することができて、作業性を向上させることができる。
【００５１】
また、光ケーブル余長処理部５２は、光コネクタ収容部５１のうち、光ケーブルコネクタ収容段部５１ａに近接する側に配置されており、この光ケーブルコネクタ収容段部５１ａに収容された光ケーブルコネクタＯＣＣ１、ＯＣＣ２に接続された光ケーブルＯＣ１、ＯＣ２を、光ケーブル余長処理部５２に向けてスムーズに導入することができる。
【００５２】
また、光ファイバ余長処理部６４は、光コネクタ収容部５１のうち、光ファイバコネクタ収容段部５１ｃに近接する側に配置されており、この光ファイバコネクタ収容段部５１ｃに収容された光ファイバコネクタＯＦＣ１、ＯＦＣ２に接続された光ケーブル光ファイバＯＦ２、ＯＦ４を、光ファイバ余長処理部６４に向けてスムーズに導入することができる。
【００５３】
さらに、光ケーブル余長処理部５２と光ファイバ余長処理部６４とのトレイ４０に直交する方向における高さは、相互に異なる高さとされている。すなわち、光ケーブル余長処理部５２は、段部４３の前側に設けられており、光ファイバ余長処理部６４は、ベース部４１に設けられているため、これら光ケーブル余長処理部５２と光ファイバ余長処理部６４とは、段部４３の高さの分だけ、異なる高さに配置されている。このため、光ケーブルと光ファイバとを相互に混在させることなくスムーズに収容することができる。
【００５４】
（実施の形態の効果）
これまで説明したように、本実施の形態によれば、光ケーブル余長処理部５２と光ファイバ余長処理部６４とを設けたので、光ケーブルの余長部分と光ファイバの余長部分とを相互に異なる位置で余長処理することが可能となり、種類が異なる光線路が混在することによって巻き取り作業が煩雑になることを防止することができて、作業性を向上させることができる。特に、光ケーブル余長処理部５２と光ファイバ余長処理部６４とを光コネクタ収容部５１を挟んで対向する位置に配置したので、光ケーブルと光ファイバとを光コネクタ収容部５１を介して相互に接続する場合においては、光コネクタ収容部５１を境界として、光ケーブルの余長処理領域と光コネクタの余長処理領域とを相互に一層明確に分離することができ、種類が異なる光線路が混在することを一層容易に防止することができる。
【００５５】
また、光ケーブルコネクタ収容段部５１ａの近傍に光ケーブル余長処理部５２を配置すると共に、光ファイバコネクタ収容段部５１ｃの近傍に光ファイバ余長処理部６４を配置したので、光ケーブルコネクタ収容段部５１ａに収容された光ケーブルコネクタＯＣＣ１、ＯＣＣ２に接続された光ケーブルを、光ケーブル余長処理部５２に向けてスムーズに導入することができると共に、光ファイバコネクタ収容段部５１ｃに収容された光ファイバコネクタＯＦＣ１、ＯＦＣ２に接続された光ケーブル光ファイバを、光ファイバ余長処理部６４に向けてスムーズに導入することができる。
【００５６】
また、光ケーブル余長処理部５２と光ファイバ余長処理部６４とのトレイ４０に直交する方向における高さを、相互に異なる高さとしたので、光ケーブルと光ファイバとを相互に異なる高さで収容することができ、光ケーブルと光ファイバとを相互に混在させることなくスムーズに収容することができる。
【００５７】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００５８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、光線路の接続に使用される光コネクタの全てを収容できない場合であっても、その一部を収容することで接続作業性を向上させることができる限りにおいて、本発明の課題が達成されている。
【００５９】
（光ケーブル収容部と光ファイバ収容部について）
光ケーブル収容部５０と光ファイバ収容部６０は、上記のように異なる高さに設けるものに限られず、相互に同一の高さに設けてもよい。また、これらを異なる高さに設ける場合においても、光ケーブル収容部５０を低レベル側に配置し、光ファイバ収容部６０を高レベル側に配置してもよい。
【００６０】
（光コネクタ収容部）
光コネクタ収容部５１は、一つのみ設けてもよく、あるいは３つ以上設けてもよい。すなわち、光受信機１の内部における接続パターンに基づいて、当該接続パターンで使用する光コネクタの数に合致した数の光コネクタ収容部５１を設けることができる。この光コネクタ収容部５１を複数設ける場合において、これら光コネクタ収容部５１は必ずしも相互に並設される必要はなく、非並設位置（例えば、直列位置等）に配置してもよい。上記実施の形態では、光ケーブルコネクタＯＣＣ１、ＯＣＣ２と光ファイバコネクタＯＦＣ１、ＯＦＣ２とをアダプタＡＰ１、ＡＰ２を介して接続する例を示したが、光ケーブルコネクタ同士をアダプタを介して接続したり、光ファイバコネクタ同士をアダプタを介して接続することも可能であり、この場合には、光コネクタ収容部５１は、当該接続に使用される光ケーブルコネクタ又は光ファイバコネクタの形状に合致した形状にて形成される。
【００６１】
（光ケーブル余長処理部と光ファイバ余長処理部の位置関係）
光ケーブル余長処理部５２と光ファイバ余長処理部６４とは、光コネクタ収容部５１を挟んで対向する位置に配置されていればよく、上記説明した配置以外の配置を採用することもできる。例えば、図６（ａ）に示すように、トレイ４０を正面から見た場合において、光コネクタ収容部５１を、トレイ４０の上下左右のほぼ中央に配置し、光ケーブル余長処理部５２を、トレイ４０の右下側に配置し、光ファイバ余長処理部６４を、トレイ４０の左上側に配置してもよい。あるいは、光コネクタ収容部５１を、トレイ４０の上下左右のほぼ中央に配置し、光ケーブル余長処理部５２を、トレイ４０の上下中央における左又は右のいずれか一方に配置し、光ファイバ余長処理部６４を、トレイ４０の上下中央における左又は右のいずれか他方に配置してもよい。また、光ケーブル余長処理部５２を複数設ける場合においては、これら複数の光ケーブル余長処理部５２の少なくとも一部を、光ファイバ余長処理部６４に対向させればよく、同様に、光ファイバ余長処理部６４を複数設ける場合においては、これら複数の光ファイバ余長処理部６４の少なくとも一部を、光ケーブル余長処理部５２に対向させればよい。
（付記）
付記１に記載の本発明は、光通信網に接続される複数の光線路をトレイに収容するための収容構造であって、前記複数の光線路は、光ケーブルと光ファイバであり、前記光ケーブルと前記光ファイバは、光コネクタを介して相互に接続され、前記トレイの一方の側面には、前記光ケーブルの余長部分を円弧状に収容するための光ケーブル余長処理部と、前記光ファイバの余長部分を円弧状に収容するための光ファイバ余長処理部と、前記光コネクタを収容するための光コネクタ収容部とを設け、前記光ケーブル余長処理部と、前記光ファイバ余長処理部とを、前記光コネクタ収容部を挟んで対向する位置に配置した。
また、付記２に記載の本発明は、付記１に記載の本発明において、前記光コネクタは、前記光ケーブルに接続される光ケーブルコネクタと、前記光ファイバに接続される光ファイバコネクタであり、前記光コネクタ収容部は、前記光ケーブルコネクタを収容する光ケーブルコネクタ収容部と、前記光ファイバコネクタを収容する光ファイバコネクタ収容部とを有し、前記光ケーブルコネクタ収容部の近傍に前記光ケーブル余長処理部を配置すると共に、前記光ファイバコネクタ収容部の近傍に前記光ファイバ余長処理部を配置した。
また、付記３に記載の本発明は、付記１又は２に記載の本発明において、前記光ケーブル余長処理部と前記光ファイバ余長処理部との前記トレイに直交する方向における高さを、相互に異なる高さとした。
（付記の効果）
付記１に記載の本発明によれば、光ケーブル余長処理部と光ファイバ余長処理部とを設けたので、光ケーブルの余長部分と光ファイバの余長部分とを相互に異なる位置で余長処理することが可能となり、種類が異なる光線路が混在することによって巻き取り作業が煩雑になることを防止することができて、作業性を向上させることができる。特に、光ケーブル余長処理部と光ファイバ余長処理部とを光コネクタ収容部を挟んで対向する位置に配置したので、光ケーブルと光ファイバとを光コネクタ収容部を介して相互に接続する場合においては、光コネクタ収容部を境界として、光ケーブルの余長処理領域と光コネクタの余長処理領域とを相互に一層明確に分離することができ、種類が異なる光線路が混在することを一層容易に防止することができる。
また、付記２に記載の本発明によれば、光ケーブルコネクタ収容部の近傍に光ケーブル余長処理部を配置すると共に、光ファイバコネクタ収容部の近傍に光ファイバ余長処理部を配置したので、光ケーブルコネクタ収容部に収容された光ケーブルコネクタに接続された光ケーブルを、光ケーブル余長処理部に向けてスムーズに導入することができると共に、光ファイバコネクタ収容段部に収容された光ファイバコネクタに接続された光ケーブル光ファイバを、光ファイバ余長処理部に向けてスムーズに導入することができる。
また、付記３に記載の本発明によれば、光ケーブル余長処理部と光ファイバ余長処理部とのトレイに直交する方向における高さを、相互に異なる高さとしたので、光ケーブルと光ファイバとを相互に異なる高さで収容することができ、光ケーブルと光ファイバとを相互に混在させることなくスムーズに収容することができる。
【符号の説明】
【００６２】
１、１００  光受信機
１０、１０１  筐体
１１  ベース部
１２  カバー部
１３  引き込み口
２０、１０２  光電変換ユニット
２１  接続端子
３０  電源装置
３１  電源コード
４０、１０３  トレイ
４１  ベース部
４２  外壁部
４３  段部
５０  光ケーブル収容部
５０ｄ  開口部
５０ｅ、５０ｆ  光ケーブル挟持固定部
５１  光コネクタ収容部
５１ａ  光ケーブルコネクタ収容段部
５１ｂ  アダプタ収容部
５１ｃ  光ファイバコネクタ収容段部
５１ｄ、５１ｇ  傾斜面
５１ｅ  切り欠き部
５１ｈ  開口
５２  光ケーブル余長処理部
５２ａ〜５２ｃ、６４ａ  余長処理ガイド
６０  光ファイバ収容部
６１  ケーブル固定部
６２  スプライス固定部
６３  フィルタ固定部
６４  光ファイバ余長処理部
６４ｂ  光ファイバ押え
１０４  ケーブル固定部
１０５  余長処理部
ＯＣ１、ＯＣ２  光ケーブル
ＯＦ１〜ＯＦ６  光ファイバ
ＭＳ１〜ＭＳ３  メカニカルスプライス
Ｆ１  ＷＤＭフィルタ
ＯＣＣ１、ＯＣＣ２  光ケーブルコネクタ
ＯＦＣ１、ＯＦＣ２  光ファイバコネクタ
ＯＦＣ１ａ、ＯＦＣ２ａ  係止爪
ＡＰ１、ＡＰ２  アダプタ
ＣＣ１  同軸ケーブル
【図１】
0005653661.tif 000002
【図２】
0005653661.tif 000003
【図３】
0005653661.tif 000004
【図４】
0005653661.tif 000005
【図５】
0005653661.tif 000006
【図６】
0005653661.tif 000007
【図７】
0005653661.tif 000008
【図８】
0005653661.tif 000009
【図９】
0005653661.tif 000010
【図１０】
0005653661.tif 000011
【図１１】
0005653661.tif 000012
【図１２】
0005653661.tif 000013